(57)【要約】 【課題】  Ｗｅｂデータを簡単に共有することができる情報処理装置および端末装置を提供することを目的とする。【解決手段】  移動機１００におけるコンテンツ取得部１０１はコンテンツサーバからコンテンツデータを取得する。表示部１０３は、取得されたコンテンツデータを表示するとともに、メール通信部１０６は、取得されたコンテンツデータをメールを用いて外部にある移動機２００に転送する。これにより、移動機１００および移動機２００において同じコンテンツデータを閲覧することができる。【選択図】  図２
2007304878.tif 000002
【特許請求の範囲】
【請求項１】
コンテンツサーバからコンテンツデータを取得するコンテンツ取得手段と、
前記取得手段により取得されたコンテンツデータを出力するコンテンツ処理手段と、
前記コンテンツ処理手段により出力処理を行うとともに、前記コンテンツ取得手段により取得されたコンテンツデータを外部に配置される端末装置に転送するコンテンツ転送手段と、
を備える情報処理装置。
【請求項２】
前記端末装置からコンテンツデータ取得要求を受信する要求受信手段、を備え、
前記コンテンツ取得手段は、前記要求受信手段により受信されたコンテンツデータ取得要求に基づいてコンテンツサーバからコンテンツデータを取得することを特徴とする請求項１に記載の端末装置。
【請求項３】
請求項２に記載の情報処理装置と通信接続する端末装置であって、
前記コンテンツ転送手段により転送されたコンテンツデータを受信するコンテンツ受信手段と、
前記コンテンツ受信手段により受信されたコンテンツデータを出力するコンテンツデータ処理手段と、
前記コンテンツ受信手段によって受信されたコンテンツデータに含まれているリンク情報に基づいて新たなコンテンツデータ取得要求を前記請求項２に記載の情報処理装置に行う要求手段と
を備えることを特徴とする端末装置。
【発明の詳細な説明】
【技術分野】
【０００１】
本発明は、Ｗｅｂデータなどのコンテンツデータを取得する情報処理装置および端末装置に関するものである。
【背景技術】
【０００２】
情報取得のために広く利用されている手段の一例として携帯型情報端末によるＷｅｂ技術を利用した情報配信方法が挙げられる。例えば、特許文献１に記載されている技術にあっては、携帯端末はＷｅｂサイトからＷｅｂデータを取得し、携帯端末のユーザは取得されたＷｅｂデータを閲覧することができる。
【特許文献１】特開２００５−３３２１８８号公報
【発明の開示】
【発明が解決しようとする課題】
【０００３】
しかしながら、上述の技術においてはＷｅｂサイトと携帯端末との間での一対一の通信が前提とされているため、一の携帯端末において取得されたＷｅｂデータと同じＷｅｂデータを他の携帯端末で扱うことができない。したがって、情報端末同士が離れた場所にあるような状況において、一の携帯端末を用いてＷｅｂサイトからのＷｅｂデータを取得して、そのＷｅｂデータを用いて何らかの処理を行いたい場合、遠隔地にいる第三者は他の携帯端末を用いて、一の携帯端末で取得したＷｅｂデータと同じＷｅｂデータを取得することが困難な場合がある。
【０００４】
例えば、そのＷｅｂデータを取得するためには、細かく規定されたＵＲＬを入力しなければならず、その場合、第三者の他の携帯端末では迅速に一の携帯端末で取得したＷｅｂデータを取得することができない。したがって、互いに離れ離れになっている一のユーザが他のユーザに対してＷｅｂデータを用いて何らかの説明をしたい場合、Ｗｅｂデータの取得から始めなければならず、説明に入るまでに大変手間がかかる場合がある。特に、携帯電話のような情報端末においては、画面に表示するデータを共有するための手段がないため、音声通話等限られた手段によってのみ、お互いの意思の疎通を図ることになり、大変不便である。
【０００５】
そこで、上述の課題を解決するために、コンテンツデータを簡単に共有することができる情報処理装置および端末装置を提供することを目的とする。
【課題を解決するための手段】
【０００６】
上述の課題を解決するために、本発明の情報処理装置は、コンテンツサーバからコンテンツデータを取得するコンテンツ取得手段と、前記取得手段により取得されたコンテンツデータを出力するコンテンツ処理手段と、前記コンテンツ処理手段により出力処理を行うとともに、前記コンテンツ取得手段により取得されたコンテンツデータを外部に配置される端末装置に転送するコンテンツ転送手段と、を備えている。
【０００７】
この発明によれば、コンテンツサーバからコンテンツデータを取得し、取得されたコンテンツデータを出力し、この出力処理を行うとともに、取得されたコンテンツデータを外部に配置される端末装置に転送することができる。これにより、取得したコンテンツデータと同じコンテンツデータを外部の端末装置でも扱い、また閲覧することができる。よって、コンテンツデータの共有化を簡単に図ることができる。
【０００８】
また、本発明は、前記端末装置からコンテンツデータ取得要求を受信する要求受信手段、を備え、前記コンテンツ取得手段は、前記要求受信手段により受信されたコンテンツデータ取得要求に基づいてコンテンツサーバからコンテンツデータを取得する。
【０００９】
この発明によれば、外部の端末装置から、転送されたコンテンツデータに基づいてコンテンツデータ取得要求を受信し、受信されたコンテンツデータ取得要求に基づいてコンテンツサーバからコンテンツデータを取得することができる。これにより、外部の端末装置と同じコンテンツデータを扱い、また閲覧することができ、コンテンツデータの共有化を簡単に図ることができる。
【００１０】
また、本発明は、上記情報処理装置と通信接続する端末装置であって、前記コンテンツ転送手段により転送されたコンテンツデータを受信するコンテンツ受信手段と、前記コンテンツ受信手段により受信されたコンテンツデータを出力するコンテンツデータ処理手段と、前記コンテンツ受信手段によって受信されたコンテンツデータに含まれているリンク情報に基づいて新たなコンテンツデータ取得要求を前記請求項２に記載の情報処理装置に行う要求手段とを備えている。
【００１１】
この発明によれば、上記情報処理装置から転送されたコンテンツデータを受信し、受信されたコンテンツデータを表示等を行うために出力し、受信されたコンテンツデータに含まれているリンク情報に基づいて新たなコンテンツデータ取得要求を上記情報処理装置に行うことができる。これにより、上記情報処理装置にコンテンツデータの取得を行わせ、情報処理装置で取得したコンテンツデータを取得することができ、コンテンツデータの共有化を簡単に図ることができる。
【発明の効果】
【００１２】
本発明は、取得したコンテンツデータと同じコンテンツデータを外部の端末装置でも扱い、また閲覧することができる。よって、コンテンツデータの共有化を簡単に図ることができる。
【発明を実施するための最良の形態】
【００１３】
本発明の実施形態にかかるＷｅｂデータの同期をとることのできる情報処理装置である移動機について図面を参照して説明する。なお、可能な場合には、同一の部分には同一の符号を付して重複する説明を省略する。
【００１４】
まず、本実施形態におけるシステム構成について説明する。図１は、本実施形態における情報処理装置である移動機１００および端末装置である移動機２００を含んだシステム構成図である。
【００１５】
図１に示すように、移動機１００、移動機２００、コンテンツサーバ３００、およびメールサーバ４００は、インターネットに接続されている。なお、便宜上インターネットに直接接続されているように図示しているが、移動機１００および移動機２００が携帯電話であれば公衆移動通信網を介してインターネットに接続され、無線ＬＡＮに接続することができる携帯端末であれば、無線ＬＡＮを介してインターネットに接続されることになる。以下、各装置についての概略動作について説明する。
【００１６】
移動機１００は、コンテンツサーバ３００からＷｅｂデータであるコンテンツデータを取得し、表示するとともに（Ｓ００１）、このコンテンツデータを含んだ電子メールを、メールサーバ４００を経由して移動機２００に送信する（Ｓ００２、Ｓ００３）。これにより移動機２００では、移動機１００で取得しているコンテンツデータを閲覧することができる。
【００１７】
また、移動機２００では、閲覧しているコンテンツデータに基づいてさらに他のコンテンツデータの取得を行おうとする場合、取得先であるリンク情報を含んだ電子メールデータを移動機１００に、メールサーバ４００を経由して送信する（Ｓ００４、Ｓ００５）。この電子メールデータを受信した移動機１００では、電子メールデータに含まれているリンク情報にしたがってコンテンツデータの取得を行う（Ｓ００６）。
【００１８】
このような動作を実行することができる移動機１００および２００の構成について説明する。
【００１９】
図２は、移動機１００の機能構成を示すブロック図である。移動機１００は、コンテンツ取得部１０１、コンテンツ処理部１０２、表示部１０３、コンテンツコピー処理部１０４、メール生成部１０５、およびメール通信部１０６（要求受信部１０７、コンテンツ送信部１０８を含む）を含んで構成されている。
【００２０】
この移動機１００の機能は、図３に示されるハードウェア構成により実現される。図３は、移動機１００のハードウェア構成図である。物理的に図３に示すように、ＣＰＵ１１、主記憶装置であるＲＯＭ１２及びＲＡＭ１３、入力デバイスであるキーやマイクといった入力部１４、液晶ディスプレイやスピーカといった出力部１５、送受信デバイスである通信部１６などを含む情報処理装置として構成されている。上述の移動機１００の各機能は、図３に示すＣＰＵ１１、ＲＡＭ１２等のハードウェア上に所定のソフトウェアを読み込ませることにより、ＣＰＵ１１の制御のもとで入力部１４、出力部１５、および通信部１６を動作させるとともに、ＲＡＭ１２におけるデータの読み出し及び書き込みを行うことで、実現され、端末装置間、サーバ間の情報の交換及びコンテンツの処理を実現させる。
【００２１】
以下、図２を用いて、各機能要素について詳細に説明する。
【００２２】
コンテンツ取得部１０１は、インターネットに配置されているコンテンツサーバよりインターネットを経由してコンテンツデータを取得する部分である。例えば、ＨＴＭＬファイルにより構成されたＷｅｂデータであるコンテンツデータをコンテンツサーバから、ｈｔｔｐ（Hyper Text Transfer Protocol）を用いて取得する部分である。
【００２３】
コンテンツ処理部１０２は、コンテンツ取得部１０１により取得されたコンテンツデータを解析し、そのコンテンツデータに基づいて表示部１０３に出力してコンテンツを表示させ、また追加のコンテンツデータの要求等を行う部分である。
【００２４】
コンテンツコピー処理部１０４は、コンテンツ取得部１０１により取得されたコンテンツデータをコピーすることでコンテンツデータの複製データを生成する部分である。コンテンツコピー処理部１０４は、生成された複製データをメール生成部１０５に出力する。
【００２５】
メール生成部１０５は、コンテンツコピー処理部１０４において生成された複製データを含んだ電子メールデータを生成する部分である。例えば、メール生成部１０５は、複製データであるＨＴＭＬファイルを添付ファイルとして電子メールデータに添付することにより、複製データを含んだ電子メールデータを生成することができる。
【００２６】
メール通信部１０６におけるコンテンツ送信部１０８は、メール生成部１０５により生成された電子メールデータを送信相手である移動機２００に送信する部分である。
【００２７】
メール通信部１０６における要求受信部１０７は、移動機２００から受信されたコンテンツ取得要求の旨を含んだ電子メールデータを受信する部分である。メール通信部１０６では、要求受信部１０７において受信された電子メールデータを解析し、当該電子メールデータに含まれているコンテンツ取得要求の有無を判断する。そして、要求受信部１０７は、コンテンツ取得要求を電子メールデータにあることを判断すると、このコンテンツ取得要求にしたがって、コンテンツ取得部１０１にコンテンツ取得指示を行う。このコンテンツ取得要求には、コンテンツの格納先を示すリンク情報（例えば、ＵＲＬ（Uniform Resource Locator））が含まれており、コンテンツ取得部１０１は、このリンク情報にしたがってコンテンツデータの取得処理を行う。
【００２８】
このように構成された移動機１００からコンテンツデータを含んだ電子メールを受信し、当該受信したコンテンツデータに基づいて、新たなコンテンツデータを取得することができる移動機２００の構成について説明する。図４は、移動機２００の機能構成を示すブロック図である。
【００２９】
この移動機２００は、メール通信部２０１（コンテンツ受信部２０２、取得要求部２０３を含む）、コンテンツ処理部２０４、表示部２０５、メール生成部２０６、および操作部２０７を含んで構成されている。この移動機２００も、移動機１００と同様に図３で示されるハードウェア構成により各機能が実現される。
【００３０】
メール通信部２０１におけるコンテンツ受信部２０２は、上述移動機１００から送信されたコンテンツデータを含んだ電子メールを受信する部分である。コンテンツ受信部２０２は、受信した電子メールデータをコンテンツ処理部２０４に出力する。
【００３１】
また、メール通信部２０１における取得要求部２０３は、メール生成部２０６により生成されたコンテンツ取得要求（コンテンツの格納先を示す情報を含む）の旨を含んだ電子メールデータを移動機１００に送信する部分である。
【００３２】
コンテンツ処理部２０４は、コンテンツ受信部２０２から受信された電子メールデータを解析し、当該電子メールデータに含まれているコンテンツデータを取り出す処理を行う部分である。コンテンツ処理部２０４は取り出したコンテンツデータを表示部２０５に出力する。
【００３３】
表示部２０５は、コンテンツデータを表示する部分である。
【００３４】
メール生成部２０６は、ユーザにより操作された操作部２０７からの指示に基づいて、新たなコンテンツデータの取得要求を行うためのコンテンツ取得要求を含んだ電子メールデータを生成する部分である。メール生成部２０６は、生成された電子メールデータを取得要求部２０３に出力する。
【００３５】
操作部２０７は、ユーザ操作により表示部２０５において表示されているＷｅｂデータであるコンテンツデータに含まれているアンカーに対して選択処理（取得要求指示）を行う部分である。そして、操作部２０７は、メール生成部２０６に対してこのＷｅｂデータのアンカーに含まれているコンテンツデータの格納先であるリンク情報を含んだ電子メールデータを生成するよう指示を行う。
【００３６】
以上の移動機１００において取得されたＷｅｂデータを、電子メールを用いて移動機２００に転送し、移動機２００では、受信した電子メールからＷｅｂデータを取り出して表示し、このＷｅｂデータに基づいて、別のＷｅｂデータを取得しようとする場合には、さらにその格納先であるリンク情報を含んだ電子メールデータを生成し、移動機１００に送信することができる。
【００３７】
続いて、本実施形態にかかる移動機１００および２００の動作について説明し、併せて、本発明の実施形態に係る移動機間のコンテンツデータの同期方法について説明する。図５は、本実施形態に係る移動機１００において他の端末装置である移動機２００にコンテンツデータのコピーを転送する手順を示すシーケンス図である。
【００３８】
コンテンツデータのコピー元となる移動機１００は、コンテンツ取得部１０１を用いて、コンテンツサーバ３００に対してコンテンツの要求を行い（Ｓ１０１）、コンテンツサーバ３００からコンテンツデータを取得する（Ｓ１０２）。
【００３９】
コンテンツデータを取得した移動機１００では、転送先の移動機２００が設定されている場合には（Ｓ１０３）、コンテンツコピー処理部１０４がコンテンツのコピー（複製データ）を生成する（Ｓ１０４）。メール生成部１０５は、その複製データを含んだ電子メールを生成する。移動機１００の表示部１０３は、取得したコンテンツデータを表示する処理を行うとともに（Ｓ１０８）、コンテンツ送信部１０８は、他の端末装置である移動機２００にコンテンツデータのコピーを電子メールにより送信する（Ｓ１０５）。また、Ｓ１０３において、転送先が設定されていない場合には、コンテンツデータのコピーを生成することなく、表示部１０３はコンテンツの表示処理を行う（Ｓ１０９）。
【００４０】
コンテンツ送信部１０８により送信されるコンテンツデータの複製データを含んだ電子メールデータは、メールサーバ４００を経由し、移動機２００に転送される（Ｓ１０５、Ｓ１０６）。
【００４１】
コンテンツデータの複製データを含んだ電子メールを受信した移動機２００は、電子メールからコンテンツデータを抽出し、表示部２０５はコンテンツデータの表示を行う（Ｓ１０７）。
【００４２】
このように移動機１００で取得したコンテンツデータと同じコンテンツデータを移動機２００において表示することができる。
【００４３】
つぎに、移動機２００において、移動機１００から取得したコンテンツデータに基づいて新たなコンテンツデータを取得するときの動作について説明する。図６は、そのときの移動機１００および２００の動作を示すシーケンス図である。
【００４４】
移動機２００において、ユーザがコンテンツデータのアンカーをクリック等して選択することによりコンテンツ取得要求が発生した場合（Ｓ２０１）、メール生成部２０６は当該コンテンツ取得要求を含んだ電子メールデータを生成し、当該電子メールデータを移動機１００宛てにメールサーバ４００を経由して送信する（Ｓ２０２、Ｓ２０３）。
【００４５】
移動機１００では、要求受信部１０７がコンテンツ取得要求を含んだ電子メールデータを受信し、受信した電子メールデータを解析する（Ｓ２０４）。そして、移動機１００では、要求受信部１０７が解析した電子メールデータからコンテンツ取得要求を抽出し、抽出したコンテンツ取得要求に基づいて、コンテンツ取得部１０１がコンテンツサーバ３００にコンテンツデータの取得要求を行う（Ｓ２０５）。
【００４６】
そして、移動機１００では、コンテンツ取得部１０１がコンテンツサーバ３００からコンテンツデータを取得する（Ｓ２０６）。コンテンツデータを取得した移動機１００では、転送先の移動機２００が設定されている場合には（Ｓ２０７）、コンテンツコピー処理部１０４がコンテンツのコピー（複製データ）を生成する（Ｓ２０８）。メール生成部１０５は、生成された複製データを含んだ電子メールを生成する。そして、移動機１００の表示部１０３は、取得したコンテンツデータを表示する処理を行うとともに（Ｓ２１２）、コンテンツ送信部１０８は、他の端末装置である移動機２００宛てにコンテンツデータのコピーを電子メールにより送信する（Ｓ２０９）。移動機２００では、電子メールデータに含まれているコンテンツデータを表示する（Ｓ２１１）。また、Ｓ２０７において、転送先が設定されていない場合には、コンテンツのコピーを生成することなく、コンテンツの表示処理を行う（Ｓ２１３）。
【００４７】
コンテンツ送信部１０８により送信されるコンテンツデータの複製データを含んだ電子メールデータは、メールサーバ４００を経由し、移動機２００に転送される（Ｓ２０９、Ｓ２１０）。
【００４８】
コンテンツデータの複製データを含んだ電子メールを受信した移動機２００は、電子メールからコンテンツデータを抽出し、表示部２０５はコンテンツデータの表示を行う（Ｓ２１１）。
【００４９】
このような処理により移動機２００において指示したコンテンツデータの取得要求に基づいて移動機１００ではコンテンツデータの取得処理を行い、取得したコンテンツデータを移動機２００に転送することができる。
【００５０】
つぎに、本実施形態の移動機１００および移動機２００作用効果について説明する。
【００５１】
この移動機１００によれば、コンテンツ取得部１０１がコンテンツサーバからコンテンツデータを取得し、ここで取得されたコンテンツデータを表示部１０３が表示する。そして、この表示処理を行うとともに、コンテンツコピー処理部１０４がコンテンツデータの複製データを生成し、メール生成部１０５が複製データを添付ファイルとして付加した電子メールデータを生成する。そして、メール通信部１０６のコンテンツ送信部１０８は取得されたコンテンツデータを移動機２００に転送する。これにより、取得したコンテンツデータと同じコンテンツデータを外部の端末装置である移動機２００でも扱い、また閲覧することができる。よって、コンテンツデータの共有化を簡単に図ることができる。
【００５２】
また、この移動機１００によれば、外部の端末装置である移動機２００から、要求受信部１０７は、転送されたコンテンツデータに基づいてコンテンツデータ取得要求が含まれている電子メールデータを受信し、受信された電子メールデータからコンテンツデータ取得要求を抽出し、コンテンツ取得部１０１は、このコンテンツ取得要求（ＵＲＬ等のリンク情報）に基づいてコンテンツサーバ３００からコンテンツデータを取得することができる。これにより、移動機１００は、移動機２００と同じコンテンツデータを扱い、また閲覧することができ、コンテンツデータの共有化を簡単に図ることができる。
【００５３】
また、移動機２００によれば、上記情報処理装置である移動機１００から転送された電子メールデータ（コンテンツデータを含む）をコンテンツ受信部２０２が受信し、受信されたコンテンツデータの表示等を行うためにコンテンツ処理部２０４がコンテンツデータを抽出して、表示部２０５に出力し、表示部２０５はコンテンツデータを表示する。そして、移動機２００のユーザはコンテンツデータを閲覧しながら、受信されたコンテンツデータに含まれているリンク情報に対してクリックすることにより新たなコンテンツデータ取得要求を移動機１００に行うことができる。本実施形態では電子メールにコンテンツデータ取得要求を含ませて、メールにより送信する。これにより、上記移動機１００にコンテンツデータの取得を行わせ、移動機１００で取得したコンテンツデータを取得することができ、移動機１００と移動機２００との間でコンテンツデータの共有化を簡単に図ることができる。
【００５４】
なお、変形例として以下の形態も考えられる。すなわち、移動機２００はさらに他の移動機にコンテンツデータを含んだ電子メールを転送することも考えられる。この変形例においては、移動機２００は、転送先を予め設定しておき、受信した電子メールデータにコンテンツデータが含まれていると判断すると（例えば、ＨＴＭＬファイルが添付ファイルとして添付されていると判断すると）、当該コンテンツデータを抽出して表示するとともに、設定されている転送先に電子メールデータをそのまま転送する。他の移動機においては、移動機２００と同様の構成を有し、電子メールデータを受信すると、コンテンツデータを抽出して表示する。
【００５５】
また、移動機２００は、他の移動機から電子メールデータを受信した場合、受信した電子メールデータを解析し、当該他の移動機からコンテンツ取得要求を含んだ電子メールデータを受信したことを判断すると、さらにその電子メールデータを移動機１００に転送する。移動機２００では、このようなコンテンツ取得要求を含んだ電子メールデータを受信した場合には移動機１００に転送することに予め設定しておくことにより、移動機１００宛てに電子メールを転送することができる。
【００５６】
このような構成により、複数の移動機（端末装置）において、コンテンツデータを共有することができる。
【図面の簡単な説明】
【００５７】
【図１】本実施形態における情報処理装置である移動機１００および端末装置である移動機２００を含んだシステム構成図である。
【図２】移動機１００の機能構成を示すブロック図である。
【図３】移動機１００のハードウェア構成図である。
【図４】移動機２００の機能構成を示すブロック図である。
【図５】移動機１００において他の端末装置である移動機２００にコンテンツデータのコピーを転送する手順を示すシーケンス図である。
【図６】移動機２００において移動機１００から取得したコンテンツデータに基づいて新たなコンテンツデータを取得するときの動作を示すシーケンス図である。
【符号の説明】
【００５８】
１００…移動機、１０１…コンテンツ取得部、１０２…コンテンツ処理部、１０３…表示部、１０４…コンテンツコピー処理部、１０５…メール生成部、１０６…メール通信部、１０７…要求受信部、１０８…コンテンツ送信部、２００ 移動機、２０１…メール通信部、２０２…コンテンツ受信部、２０３…取得要求部、２０４…コンテンツ処理部、２０５…表示部、２０６…メール生成部、２０７…操作部、３００…コンテンツサーバ、４００…メールサーバ。
【図１】
2007304878.tif 000003
【図２】
2007304878.tif 000004
【図３】
2007304878.tif 000005
【図４】
2007304878.tif 000006
【図５】
2007304878.tif 000007
【図６】
2007304878.tif 000008